(57)【要約】  要約書：本発明は、式（Ｉ）［前記式中、ＲはＨ、又はＣ1〜Ｃ3−アルキルである］の複素環式化合物少なくとも１つの、燃料組成物における摩擦摩耗減少添加剤としての使用、相応して添加された燃料組成物、及びこの製造、及び係る化合物を含有する助剤濃縮物に関する。
2008508412.tif 000002
【特許請求の範囲】
【請求項１】
式（Ｉ）
【化１】
2008508412.tif 000008
［前記式中、ＲはＨ、又はＣ1〜Ｃ3−アルキルである］
の複素環式化合物少なくとも１つの、燃料組成物における摩擦摩耗減少添加剤としての使用。
【請求項２】
式（Ｉ）の化合物を前記燃料に、１０００ｍｇ／ｋｇよりも少ない割合で添加する、請求項１記載の使用。
【請求項３】
前記化合物を前記燃料に、１〜５００ｍｇ／ｋｇの割合で添加する、請求項２記載の使用。
【請求項４】
前記化合物を前記燃料に、１〜＜５０ｍｇ／ｋｇの割合で添加する、請求項３記載の使用。
【請求項５】
式（Ｉ）の化合物を、環の置換基Ｒに関して位置異性体である化合物の混合物として使用する、請求項１から４までのいずれか１項記載の使用。
【請求項６】
式（Ｉ）の化合物が、式（Ｉａ）及び（Ｉｂ）
【化２】
2008508412.tif 000009
の化合物の異性体混合物を含み、その際
（Ｉａ）対（Ｉｂ）のモル比が１０〜６０対９０〜４０の範囲にある、請求項５記載の使用。
【請求項７】
Ｒがメチルである、請求項１から６までのいずれか１項記載の使用。
【請求項８】
少なくとも１つの更なる市販の燃料助剤との組み合わせにおける、請求項１から７までのいずれか１項記載の使用。
【請求項９】
摩擦摩耗値（Ｒ）が、μｍで、約５〜７０％だけ、式（Ｉ）の化合物を含有する助剤の添加前に算出した値と比較して減少する、請求項１から８までのいずれか１項記載の使用。
【請求項１０】
少なくとも１つの更なる通常の摩擦減少添加剤との組み合わせにおける、請求項１から９までのいずれか１項記載の使用。
【請求項１１】
ベース燃料の主要量中に、摩擦摩耗値を減少させる量の請求項１から１０までのいずれか１項の記載の式（Ｉ）の複素環式化合物を含有する、燃料組成物。
【請求項１２】
請求項１から９までのいずれか１項記載の少なくとも１つの摩擦減少添加剤を、少なくとも１つの更なる通常の燃料助剤と、場合により、少なくとも１つの更なる通常の摩擦減少添加剤とを組み合わせて含有する助剤濃縮物。
【請求項１３】
前記燃料組成物がオットー燃料である、請求項１から１０までのいずれか１項記載の使用、請求項１１記載の燃料組成物、又は請求項１２記載の助剤濃縮物。
【請求項１４】
改善した摩擦摩耗挙動を有する燃料組成物の製造方法において、市販の燃料組成物に、請求項１から９までのいずれか１項記載の複素環式化合物の又は請求項１２記載の助剤濃縮物の有効量を添加する、改善した摩擦摩耗挙動を有する燃料組成物の製造方法。
【発明の詳細な説明】
【技術分野】
【０００１】
発明の詳細な説明
本発明は、式（Ｉ）
【化１】
2008508412.tif 000003
［前記式中、ＲはＨ、又はＣ1〜Ｃ3−アルキルである］の複素環式化合物少なくとも１つの、燃料組成物における摩擦摩耗減少添加剤としての使用、相応して添加された燃料組成物、及びこの製造、及び係る化合物を含有する助剤濃縮物に関する。
【０００２】
従来技術：
オットーエンジンの気化器及びインテーク系、また燃料計量供給のためのインジョクション系は汚染物質により強力に汚染され、これは空気からのダスト粒子、燃焼室からの未燃焼の炭化水素残留物、及び前記気化器中に導通されるクランク室換気ガスにより引き起こされる。前記残留物はこの空気−燃料比を、アイドリングにおいてかつ低い部分負荷範囲においてスライドさせるので、この結果この混合気はより希薄に、この燃焼はより不完全になり、従って未燃焼の又は部分燃焼した炭化水素の割合が排ガス中で増大する。上昇するガソリン消費が結果として起こる。
【０００３】
この欠点を減少させるために、燃料助剤が、オットーエンジンの弁及び気化器又はインジョクション系を清浄に保つために使用されることが公知である（参考、例えばM. Rossenbeck in Katalysatoren, Tenside, Mineraloeladditive, Hrsg. J. Falbe, U. Hasserodt, 223頁, G. Thieme Verlag, Stuttgart 1978）。係る界面活性性の燃料助剤を一般的に、「清浄剤（Detergenz）」と呼称する。潤滑剤組成物の範囲において、しばしばいわゆる「分散剤（Dispergator）」が界面活性助剤として使用され、その際この分散剤は部分的に、燃料組成物における清浄剤としての使用にも適する。係る清浄剤は、これは複数の化学的な物質クラスに由来してよいが、例えばポリアルケンアミン、ポリエーテルアミン、ポリブテン−マンニッヒ塩基又はポリブテン−スクシンイミドが、一般的にキャリアーオイル及び場合により更なる助剤成分、例えば腐食防止剤及び解乳化剤と組み合わせて適用される。係るオットー燃料助剤あり及びなしのオットー燃料（Ottokraftstoff）は、オットーエンジンにおけるその潤滑能又は摩耗特性に関して相違する挙動を示し、しかしながらこれは申し分のないものでなく、従って改善されることが望ましい。
【０００４】
ディーゼル燃料の潤滑能の改善のための成分が従来技術に既に属するディーゼル燃料のための燃料助剤とは対照的に、オットー燃料では、オットー燃料への適した助剤の添加によりこの潤滑能を著しく向上させ、従って改善させるための、技術的解決がまずもってほとんど存在しない。例示的に公知であるのは、脂肪酸及びこの誘導体（EP-A-780 460、EP-A829 527）、アルケニルコハク酸エステル（WO 97/45507）、ビス（ヒドロキシアルキル）脂肪アミン（EP-A-869 163）、又はヒドロキシアセトアミド（WO-98/30658、US-A-5,756,435）がオットー燃料への添加剤及び／又はオットー燃料助剤として、このオットー燃料の潤滑能を改善できることである。ヒマシ油でも、ディーゼル燃料（EP-A-605 857）及び／又はオットー燃料（US-A-5,505,867）に対するこの添加が潤滑能を向上できることが公知である。
【０００５】
ＢＡＳＦ  ＡＧのEP-A-1 230 328からは、相乗効果助剤混合物が公知であり、これは潤滑能改善剤として燃料及び潤滑剤中で使用可能であり、かつジカルボン酸又はジカルボン酸誘導体と長鎖の、脂肪族アミン並びに脂肪酸エステル又は脂肪酸エステル含有成分との反応生成物、例えば植物油を含有する。
【０００６】
US-A-4,060,491からは、アルキル残基が４〜１６つの炭素原子を有する５−アルキル−ベンゾトリアゾールの、潤滑剤組成物中での摩擦摩耗減少添加剤としての使用が公知である。燃料組成物中での、特にオットー燃料中での使用は記載されない。ベンゾトリアゾール及びトルトリアゾール（Tolutriazol）は自体で、１０００ｐｐｍ（０．１質量％）の範囲での添加の際に潤滑剤中で申し分のない効能を示さない。
【０００７】
EP-A-1 246 895は、酸素及び窒素から選択される異種原子少なくとも１つを有する更なる多環式芳香族化合物を記載し、前記異種原子はこの複素環の又は環外の基中に存在し、かつ環に少なくとも１つのＣ1〜Ｃ4−アルキル−置換基を有する。係る化合物は、特に、ディーゼル燃料中での減摩助剤として適する。この教示によれば、このアルキル−置換基は、環−異種原子に対してα−位においても、β−位においてもこの分子に結合してはならず、というのもさもなければ、不十分な潤滑作用のみが観察されるものであるからである。有利な例は、最大で２つの異種原子を有する化合物、例えば、特に５−メチルベンズイミダゾール、２−ヒドロキシ−４−メチルキノリン、８−ヒドロキシ−キナルジン、及び４−アミノ−キナルジンを含む。更に、申し分のない結果が、５０ｐｐｍを上回る、有利には約１５０ｐｐｍの配量で初めて得られる。２つ以上の異種原子を有する化合物、及び従って極性のある化合物、例えばトルトリアゾール及び類似する化合物のオットー燃料のための摩擦改質剤（Friction Modifier）としての使用可能性は、これらの引用文献において、明文をもって提案されておらず、また専門知識を有する読者にいかなる形態においても喚起されるものでない。
【０００８】
従って、潤滑能、特にオットー燃料の潤滑能、又は摩耗耐性、特にオットーエンジンの摩耗耐性を改善する新規の燃料助剤を提供する課題が存在する。
【０００９】
本発明の簡単な説明
意外にも上記課題は、トルトリアゾール及び構造的に類似する化合物の、摩擦改質剤としての使用により解決されることが見出された。意外にも、既に少量の前記助剤で、この添加された燃料の摩擦摩耗特性の著しい改善を導くことが確認された。
【００１０】
これは更に、トルトリアゾール型の化合物は、これは既に非鉄金属腐食保護剤として燃料中で使用されている（通常は１０ｐｐｍよりも少ない量で）が、更なる使用に供せられ、従って腐食保護及び潤滑作用を、自体同一の助剤を用いて改善できる可能性が存在するとの利点を有する。
【００１１】
本発明の詳細な説明
Ａ）有利な実施態様
本発明の第一の主題は、式（Ｉ）
【化２】
2008508412.tif 000004
［前記式中、ＲはＨ、又はＣ1〜Ｃ3−アルキル、例えばメチル、ｎ−プロピル又はイソプロピルである］
の複素環式化合物少なくとも１つの、燃料組成物における摩擦摩耗減少添加剤としての使用に関する。
【００１２】
有利には、式（Ｉ）の化合物を前記燃料に、１０００ｍｇ／ｋｇよりも少ない割合で、例えば１〜５００ｍｇ／ｋｇ又は１０〜２５０ｍｇ／ｋｇ又は１０〜１００ｍｇ／ｋｇの割合で、又は１〜＜５０ｍｇ／ｋｇ、例えば１〜４５ｍｇ／ｋｇの割合で添加する。
【００１３】
有利には、式（Ｉ）の化合物の、環の置換基Ｒに関して位置異性体である化合物の混合物としての使用が実施される。従って、式（Ｉ）の化合物として、特に式（Ｉａ）及び（Ｉｂ）
【化３】
2008508412.tif 000005
の化合物の異性体混合物が使用されてよく、その際（Ｉａ）（４−アルキル−化合物）対（Ｉｂ）（５−アルキル−化合物）のモル比は、１０〜６０対９０〜４０、例えば約２０〜４０対８０〜６０、又は約３０〜４０対７０〜６０の範囲にある。
【００１４】
有利には、（Ｉｂ）の相対的な割合は（Ｉａ）の総体的な割合よりも大きく、（Ｉｂ）及び（Ｉａ）の混合物に対して約５０〜９０、例えば５５〜８０モル％である。
【００１５】
本発明によれば、式Ｉ、Ｉａ及びＩｂの化合物の全ての可能性のある互変異性体の形態は、単独で又は混合して含まれる。例示的には式Ｉに関して以下の互変異性体の形態が挙げられる：
【化４】
2008508412.tif 000006
【００１６】
特に有利な一実施態様によれば、Ｒはメチルである。（Ｉｂ）の割合はこの際、約６３モル％、かつ（Ｉａ）の割合は約３７モル％である。
【００１７】
更に、本発明による摩擦改質剤は、少なくとも１つの更なる市販の燃料助剤、例えば清浄剤助剤、キャリアーオイル、腐食阻害剤、及びこれらの助剤の１つ又は複数を含有する混合物から選択される燃料助剤と組み合わせて使用されることが有利である。
【００１８】
本発明による使用では、意外にも、摩擦摩耗値（Ｒ；μｍで）の減少が、以下の実験部分に記載したように測定して、約５〜７０、例えば５〜６０、５〜５０、１０〜６０、１５〜６０、又は１５〜５０％だけ、式（Ｉ）の助剤の添加前に算出した値と比較して観察される。この測定方法はこの際、ディーゼル燃料分野で通常に使用されるＨＦＲＲ試験（ＣＥＣ  Ｆ０６−Ａ−９６に相当）に基づいており、但しこの測定は、室温（２５℃）及び７２０ｇ（約７．０６Ｎ）の負荷下で行われる。検査すべき燃料は、この測定前に、５０体積％に蒸留により濃縮される。
【００１９】
代替的な一実施態様において、本発明は、少なくとも１つの更なる通常の、従来技術（参照、例えば上記のとおり）から公知である摩擦摩耗減少添加剤と組み合わせた、上記した複素環の使用に関する。
【００２０】
本発明の更なる主題は、通常のベース燃料の主要量中に摩擦摩耗値を減少させる量の上記の定義による式（Ｉ）の複素環式化合物を含有する燃料組成物である。
【００２１】
本発明の主題はまた、上記の定義による少なくとも１つの更なる摩擦摩耗減少添加剤を、少なくとも１つの更なる通常の燃料助剤と、場合により、少なくとも１つの更なる通常の摩擦減少添加剤とを組み合わせて含有する助剤濃縮物である。特に有利には、オットー燃料における上記した摩擦改質剤が使用される。
【００２２】
本発明の最後の主題は、改善した摩擦摩耗挙動を有する燃料組成物の製造方法であって、市販の燃料組成物に、上記の定義による複素環式化合物の又は上記の定義による助剤濃縮物の有効量を添加する、燃料組成物の製造方法に関する。
【００２３】
Ｂ）更なる助剤成分
本発明による摩擦改質剤の調合物は添加すべき燃料に、単独で又は更なる有効な助剤成分（共助剤（Ｃｏ−Ａｄｄｉｔｉｖｅ））と混合して添加されてよい。
【００２４】
Ｂ１）清浄助剤
例として、清浄作用及び／又は弁座摩耗阻害作用を有する助剤（以下において清浄助剤として呼称される）を挙げることができる。この清浄助剤は、数平均分子量（Ｍｎ）８５〜２００００及び以下から選択される少なくとも１つの極性の原子団を有する、少なくとも１つの疎水性の炭化水素残基を有する：
（ａ）  ６個までの窒素原子を有するモノアミノ基又はポリアミノ基、その際、少なくとも１個の窒素原子は塩基性の特性を有する、
（ｂ）ニトロ基、これは場合によりヒドロキシル基と組み合わされている、
（ｃ）  モノアミノ基又はポリアミノ基と組み合わせたヒドロキシル基、その際、少なくとも１つのこの窒素原子は塩基性の特性を有する、
（ｄ）カルボキシル基又はこのアルカリ金属塩若しくはアルカリ土類金属塩、
（ｅ）スルホン酸基又はこのアルカリ金属塩若しくはアルカリ土類金属塩、
（ｆ）  ヒドロキシル基、モノアミノ基又はポリアミノ基（その際、少なくとも１つの窒素原子は塩基性の特性を有する）又はカルバマート基を末端に有するポリオキシ−Ｃ2〜Ｃ4−アルキレン原子団、
（ｇ）  カルボン酸エステル基、
（ｈ）ヒドロキシ基及び／又はアミノ基及び／又はアミド基及び／又はイミド基を有する、無水コハク酸から誘導される原子団、及び／又は
（ｉ）置換されたフェノールとアルデヒド及びモノアミン又はポリアミンとのマンニッヒ反応により生成される原子団。
【００２５】
上記の清浄助剤中のこの疎水性の炭化水素残基は、燃料中での十分な溶解性を配慮し、数平均分子量（Ｍｎ）８５〜２００００、特に１１３〜１００００、特に３００〜５００を有する。典型的な疎水性の炭化水素残基は、特に、極性の原子団（ａ）、（ｃ）、（ｈ）及び（ｉ）との関連において、そのつどＭｎ＝３００〜５０００、特に５００〜２５００、とりわけ７００〜２３００を有するポリプロペニル残基、ポリブテニル残基、及びポリイソブテニル残基が考慮される。
【００２６】
清浄助剤の上記のグループのための例として、以下が挙げられる：
モノアミノ基又はポリアミノ基（ａ）を含有する添加剤は、有利には、ポリプロペン又は慣用の（即ち、主に真ん中にある二重結合を有する）ポリブテン又はポリイソブテンベースの、Ｍｎ＝３００〜５０００を有するポリアルケンモノアミン又はポリアルケンポリアミンである。前記助剤の製造の際に主に真ん中にある二重結合を有するポリブテン又はポリイソブテン（大抵は、β−位及びγ−位にある）から出発する場合には、塩素化、及び引き続くアミン化による、又はカルボニル化合物又はカルボキシル化合物への空気又はオゾンを用いたこの二重結合の酸化、及び引き続くアミン化による、還元性（水素添加）条件下での製造経路が適する。アミン化のためにはこの際、アミン、例えばアンモニア、モノアミン又はポリアミン、例えばジメチルアミノプロピルアミン、エチレンジアミン、ジエチレントリアミン、トリエチレンテトラミン、又はテトラエチレンペンタミンが使用される。相応する、ポリプロペンベースの助剤は、特にWO-A 94/24231に記載されている。
【００２７】
更なる有利なモノアミノ基（ａ）を含有する助剤は、例えば特にWO-A 97/03946に記載されているように、平均重合度Ｐ＝５〜１００を有するポリイソブテンと窒素酸化物又は窒素酸化物と酸素との混合物との反応生成物の水素化生成物である。
【００２８】
更なる有利なモノアミノ基（ａ）を含有する助剤は、特にDE-A 196 20 262に記載されているように、ポリイソブテンエポキシドとアミンとの反応及び引き続くこのアミノアルコールの脱水及び還元により得られる化合物である。
【００２９】
ニトロ基（ｂ）（場合によりヒドロキシル基と組み合わされている）を含有する助剤は、有利には、平均重合度Ｐ＝５〜１００又は１０〜１００のポリイソブテンと、窒素酸化物又は窒素酸化物と酸素との混合物との反応生成物であり、これは特にWO-A-96/03367及びWO-A-96/03479に記載されている。これらの反応生成物は通常は、純粋なニトロポリイソブテン（たとえばα，β−ジニトロポリイソブテン）及び混合されたヒドロキシニトロポリイソブテン（たとえばα−ニトロ−β−ヒドロキシポリイソブテン）からなる混合物である。
【００３０】
モノアミノ基又はポリアミノ基と組み合わせてヒドロキシル基（ｃ）を含有する助剤は、特に、Ｍn＝３００〜５０００を有する、有利には主に末端に二重結合を有するポリイソブテンから得られるポリイソブテンエポキシドと、アンモニア、モノアミン又はポリアミンとの反応生成物であり、これは特にEP-A 476 485に記載されている。
【００３１】
カルボキシル基又はこのアルカリ金属塩若しくはアルカリ土類金属塩（ｄ）を含有する助剤は、有利には、５００〜２００００の総モル量を有する、Ｃ2〜Ｃ40−オレフィンと無水マレイン酸とのコポリマーであり、このカルボキシル基は完全に又は部分的にアルカリ金属塩又はアルカリ土類金属塩へと、そしてこのカルボキシル基残分はアルコール又はアミンと反応している。このような助剤は、特にEP-A 307 815から公知である。この種の助剤は、とりわけ弁座摩耗の防止に用いられ、例えばWO-A-87/01126に記載されているように、有利に、通常の燃料清浄剤、例えばポリ（イソ）ブテンアミン又はポリエーテルアミンと組み合わせて使用することができる。
【００３２】
スルホン酸基又はこのアルカリ金属塩若しくはアルカリ土類金属塩（ｅ）を含有する助剤は、有利にはスルホコハク酸アルキルエステルのアルカリ金属塩又はアルカリ土類金属塩であり、これは特にEP-A-639 632に記載されている。この種の助剤は主として弁座の摩耗の防止に用いられ、有利に、通常の燃料清浄剤、例えばポリ（イソ）ブテンアミン又はポリエーテルアミンと組み合わせて使用することができる。
【００３３】
ポリオキシ−Ｃ2〜Ｃ4−アルキレン原子団（ｆ）を含有する助剤は、有利にはポリエーテル又はポリエーテルアミンであり、これらは、Ｃ2〜Ｃ60−アルカノール、Ｃ6〜Ｃ30−アルカンジオール、モノ−又はジ−Ｃ2〜Ｃ30−アルキルアミン、Ｃ1〜Ｃ30−アルキルシクロヘキサノール又はＣ1〜Ｃ30−アルキルフェノールと、ヒドロキシル基又はアミノ基当たり１〜３０モルのエチレンオキシド及び／又はプロピレンオキシド及び／又はブチレンオキシドとの反応により、及びポリエーテルアミンの場合には、引き続くアンモニア、モノアミン又はポリアミンを用いた還元アミノ化により得られる。この種の生成物は、特にEP-A 310 875、EP-A 356 725、EP-A 700 985及びUS-A 4 877 416に記載されている。ポリエーテルの場合には、このような生成物はキャリアーオイル特性をも満たす。これについての典型的な例は、トリデカノールブトキシラート又はイソトリデカノールブトキシラート、イソノニルフェノールブトキシラート並びにポリイソブテノールブトキシラート及び−プロポキシラート並びにアンモニアとの相応する反応生成物である。
【００３４】
カルボン酸エステル基（ｇ）を含有する助剤は、有利には、モノカルボン酸、ジカルボン酸又はトリカルボン酸と、長鎖のアルカノール又はポリオールとからのエステル、特にDE-A 38 38 918に記載されたような、特に１００℃で２ｍｍ2／ｓの最低粘度を有するようなものである。モノカルボン酸、ジカルボン酸又はトリカルボン酸として、脂肪族又は芳香族の酸を使用することができ、エステルアルコールもしくはエステルポリオールとして特に、例えば６〜２４個のＣ原子を有する長鎖の代表物が適している。このエステルの典型的な代表物は、イソオクタノール、イソノナノール、イソデカノール及びイソトリデカノールのアジパート、フタラート、イソフタラート、テレフタラート及びトリメリタート（Trimellitate）である。この種の生成物は、キャリアーオイル特性も満たす。
【００３５】
ヒドロキシ基及び／又はアミノ基及び／又はアミド基及び／又はイミド基を有する、無水コハク酸から誘導される原子団（ｈ）を含有する助剤は、有利には、ポリイソブテニルコハク酸無水物の相応する誘導体であり、前記誘導体は、Ｍn＝３００〜５０００を有する慣用の又は高反応性のポリイソブテンと無水マレイン酸との熱的方法での又はこの塩素化されたポリイソブテンを介した反応により得られる。特に重要なのは、この場合に、脂肪族ポリアミン、例えばエチレンジアミン、ジエチレントリアミン、トリエチレンテトラミン又はテトラエチレンペンタミンを有する誘導体である。この種のオットー燃料助剤は、特にUS-A 4 849 572に記載されている。
【００３６】
置換したフェノールとアルデヒド及びモノアミン又はポリアミンとのマンニッヒ反応により生成される原子団（ｉ）を含有する助剤は、有利には、ポリイソブテン置換されたフェノールとホルムアルデヒド及びモノアミン又はポリアミン、例えばエチレンジアミン、ジエチレントリアミン、トリエチレンテトラアミン、テトラエチレンペンタミン又はジメチルアミノプロピルアミンとの反応生成物である。ポリイソブテニル置換されたフェノールはＭｎ＝３００〜５０００を有する慣用の又は高反応性のポリイソブテンに由来するものであってよい。この種の「ポリイソブテン−マンニッヒ塩基」は特にEP-A-831 141に記載されている。
【００３７】
個別的に挙げたオットー燃料助剤をより正確に定義するためにここで、従来技術の上記の文献の開示を、明文をもって援用する。
【００３８】
Ｂ２）キャリアーオイル及び更なる成分：
本発明による助剤−組成物は更に、まだなお更なる通常の成分及び助剤と組み合わせられてよい。この際、先ず第一に、顕著な清浄作用のないキャリアーオイルが挙げられる。
【００３９】
適した鉱物性キャリアーオイルは、石油処理の際に生じる分画、例えばブライトストック又はベースオイルであり、これは例えばクラスＳＮ５００〜２０００からの粘度を有する；しかしながらまた、芳香族炭化水素、パラフィン系炭化水素及びアルコキシアルカノールである。同様に使用可能であるのは、「水素化分解オイル」として公知の、かつ鉱油の精製の際に生じる分画（沸点範囲約３６０〜５００℃を有する真空蒸留物留分、高圧下で接触水素化されかつ異性体化され、並びに脱パラフィン化された天然の鉱油から入手可能）である。同様に適するのは、上記した鉱物性キャリアーオイルの混合物である。
【００４０】
本発明により使用可能である合成のキャリアーオイルのための例は、以下から選択される：ポリオレフィン（ポリアルファオレフィン又はポリ内部オレフィン（Polyinternalolefin））、（ポリ）エステル、（ポリ）アルコキシラート、ポリエーテル、脂肪族ポリエーテルアミン、アルキルフェノール出発したポリエーテル、アルキルフェノール出発したポリエーテルアミン、及び長鎖のアルカノールのカルボン酸エステル。
【００４１】
適したポリオレフィンのための例は、Ｍｎ＝４００〜１８００を有するオレフィン重合体、特にポリブテン又はポリイソブテンベースのオレフィン重合体である（水素化されているか又は水素化されていない）。
【００４２】
適したポリエーテル又はポリエーテルアミンのための例は、有利にはポリオキシ−Ｃ2〜Ｃ4−アルキレン原子団を含有する化合物であり、これは、Ｃ2〜Ｃ60−アルカノール、Ｃ6〜Ｃ30−アルカンジオール、モノ−又はジ−Ｃ2〜Ｃ30−アルキルアミン、Ｃ1〜Ｃ30−アルキルシクロヘキサノール又はＣ1〜Ｃ30−アルキルフェノールと、ヒドロキシル基又はアミノ基当たり１〜３０モルのエチレンオキシド及び／又はプロピレンオキシド及び／又はブチレンオキシドとの反応により、及びポリエーテルアミンの場合には、引き続くアンモニア、モノアミン又はポリアミンを用いた還元アミノ化により得られる。この種の生成物は、特にEP-A 310 875、EP-A 356 725、EP-A 700 985及びUS-A 4 877 416に記載されている。例えば、ポリエーテルアミンとして、ポリ−Ｃ2〜Ｃ6−アルキレンオキシドアミン又はこの官能性誘導体が使用されてよい。これについての典型的な例は、トリデカノールブトキシラート又はイソトリデカノールブトキシラート、イソノニルフェノールブトキシラート並びにポリイソブテノールブトキシラート及び−プロポキシラート並びにアンモニアとの相応する反応生成物である。
【００４３】
長鎖のアルカノールのカルボン酸エステルのための例は、特に、モノカルボン酸、ジカルボン酸、又はトリカルボン酸と長鎖のアルカノール又はポリオールとのエステルであり、例えばこれはDE-A-38 38 918に記載されている。モノカルボン酸、ジカルボン酸又はトリカルボン酸として、脂肪族又は芳香族の酸を使用することができ、エステルアルコール又はエステルポリオールとして特に、例えば６〜２４個のＣ原子を有する長鎖の代表物が適している。前記エステルの典型的な代表物は、イソオクタノール、イソノナノール、イソデカノール、及びイソトリデカノールのアジパート、フタラート、イソフタラート、テレフタラート、及びトリメリタート、例えばジ−（ｎートリデシル又はイソトリデシル）−フタラートである。
【００４４】
更なる適したキャリアーオイル系は、例えばDE-A-38 26 608、DE-A-41 42 241、DE-A-43 09 074、EP-A-O 452 328及びEP-A-O 548 617に記載されていて、これらは本出願に明文をもって援用される。
【００４５】
特に適した合成キャリアーオイルのための例は、約５〜３５の、例えば約５〜３０のＣ3〜Ｃ6−アルキレンオキシド単位を有するアルコール出発したポリエーテル又はこれらの混合物であり、前記アルキレンオキシド単位は、例えばプロピレンオキシド単位、ｎ−ブチレンオキシド単位、及びｉ−ブチレンオキシド単位から選択される。適した出発アルコールのための例ではあるがこれを制限するものでない例は、長鎖のアルコール又は長鎖のアルキルで置換したフェノールであり、その際この長鎖のアルキル残基は、特に、直鎖又は分枝したＣ6〜Ｃ18−アルキル残基である。有利な例として、トリデカノール及びノニルフェノールが挙げられる。
【００４６】
更なる適した合成キャリアーオイルは、アルコキシ化されたアルキルフェノールであり、例えばこれはDE-A-10 102 913.6に記載されている。
【００４７】
Ｂ３）更なる共助剤
更なる通常の助剤は、腐食阻害剤、例えば有機カルボン酸の皮膜形成傾向のあるアンモニウム塩ベースの、又は非鉄金属腐食防止の場合には、複素環式芳香族ベースの腐食防止剤；酸化防止剤又は安定剤、例えばアミン、例えばｐ−フェニレンジアミン、ジシクロヘキシルアミン、又はこれらの誘導体ベースの、又はフェノール、例えば２，４−ジ−ｔｅｒｔ−４−ブチルフェノール又は３，５−ジ−ｔｅｒｔ−ブチル−４−ヒドロキシフェニルプロピオン酸ベースの酸化防止剤又は安定剤；解乳化剤；帯電防止剤；メタロセン、例えばフェロセン；メチルシクロペンタジエニルマンガントリカルボニル；潤滑能改善剤（本発明によるトリアゾール以外）、例えば、特定の脂肪酸、アルケニルコハク酸エステル、ビス（ヒドロキシアルキル）脂肪アミン、ヒドロキシアセトアミド、又はヒマシ油；並びに着色剤（マーカー）である。場合により、燃料のｐＨ値を低下させるためのアミンも添加される。
【００４８】
前記成分又は助剤は、燃料に単独で又は前もって準備した濃縮物（助剤セット）として、本発明による摩擦改質剤と共に添加されてよい。
【００４９】
上記した清浄助剤は、極性の原子団（ａ）〜（ｉ）と共に燃料に、通常は１０〜５０００質量ｐｐｍ、特に５０〜１０００質量ｐｐｍの量で添加される。これ以外に言及される成分及び助剤は、所望の場合には、このために通常の量で添加される。
【００５０】
ｃ）燃料
本発明による助剤組成物は、全ての市販のオットー燃料、例えばUllmann's Encyclopedia of Industrial Chemistry, 第5版. 1990, A16巻, 719頁〜に記載されているようなオットー燃料における使用が可能である。
【００５１】
例えば、芳香族含量最大で６０体積％、例えば最大で４２体積％、又は最大で３５体積％、及び／又は硫黄含量最大で２０００質量ｐｐｍ、例えば最大で１５０質量ｐｐｍ、又は最大で１０質量ｐｐｍを有するオットー燃料において使用される。
【００５２】
前記オットー燃料の芳香族含量は、例えば１０〜５０体積％、例えば３０〜４２体積％、特に３２〜４０体積％、又は最大で３５体積％である。前記オットー燃料の硫黄含量は、例えば２〜５００質量ｐｐｍ、例えば５〜１００質量ｐｐｍ、又は最大で１０質量ｐｐｍである。
【００５３】
更に、前記オットー燃料は、例えば、オレフィン含量〜５０体積％、例えば６〜２１体積％、特に７〜１８体積％；ベンゼン含量、〜５体積％、例えば０．５〜１．０体積％、特に０．６〜０．９体積％及び／又は酸素含量、〜２５体積％、例えば〜１０質量％、又は１．０〜２．７質量％、特に１．２〜２．０質量％を有する。
【００５４】
特に、芳香族含量、最大で３８又は３５体積％、オレフィン含量、最大で２１体積％、硫黄含量、最大で５０又は１０質量ｐｐｍ、ベンゼン含量、最大で１．０体積％、及び酸素含量、１．０〜２．７質量％を同時に有するオットー燃料が例示的に挙げられてよい。
【００５５】
オットー燃料中のアルコール及びエーテルに関する含量は幅広い範囲で変動してよい。典型的な最大含量の例は、メタノールに関して１５体積％、エタノールに関して６５体積％、イソプロパノールに関して２０体積％、ｔｅｒｔ−ブタノールに関して１５体積％、イソブタノールに関して２０体積％、及び５以上のＣ原子を一分子中に有するエーテルに関して３０体積％である。
【００５６】
オットー燃料の夏期蒸気圧は、通常は最大で７０ｋＰａ、特に６０ｋＰａ（そのつど３７℃で）である。
【００５７】
オットー燃料のＲＯＮは、通常は７５〜１０５である。この相応するＭＯＮの通常の範囲は、６５〜９５である。この言及された規格値は、通常の方法により決定された（ＤＩＮ  ＥＮ  ２２８）。
【００５８】
本発明は以下の実施例に基づいてより詳細に説明される：
実験部分：
製造実施例：助剤組成物の製造
Ｋｅｒｏｐｕｒ(R)３４５８Ｎ（ＢＡＳＦの市販製品、ポリイソブテンアミンＭｎ＝１０００並びにトリデカノール−ポリプロポキシラート（トリデカノール  １５×ＰＯ）及び二量体脂肪酸を腐食防止剤として含有）を６０℃に加熱し、撹拌下でここにトルトリアゾール（５−メチル化合物６３モル％及び４−メチル化合物３７モル％）を表１から導かれる混合比において添加した。この混合物を次いで６０℃で１時間撹拌した。
【００５９】
適用例：オットー燃料中での摩擦摩耗値の測定
オットー燃料中での潤滑能又は摩耗性の試験のために、ＰＣＳ  Ｉｎｓｔｒｕｍｅｎｔｓ社（London）の高頻度往復リグ（High Frequency Reciprocating Rig）（ＨＦＲＲ）装置を使用した。この測定条件は、オットー燃料（規格CEC F-06-A-96から出発する）の使用に適合させた（測定温度２５℃、負荷７２０ｇ）。この試験方法のオットー燃料に対する適用可能性は、文献箇所D. Margaroni, Industrial Lubrication and Tribology, Vol. 50, No. 3, May/June 1998, 108-118頁及びW. D. Ping, S. Korcek, H. Spikes, SAE Techn. Paper 962010, 51-59頁(1996)により裏付けされている。
【００６０】
この際使用されるオットー燃料（ＯＫ）（ＥＮ２２８による典型的なオットー燃料）は測定前に蒸留により慎重に５０体積％に濃縮されている。このために使用されるのは、Herzog社（Lauda-Koenigshofen, Deutschland）の蒸留自動装置ＭＰ６２８である。この５０％の残留物を、摩耗測定装置における空試験値の算出のための試験に用いた。この残留物に、下記の表１に列記した実施例に相応して、更なる助剤を添加し、かつこの摩擦摩耗値を上記した方法により測定した。この生じる摩擦摩耗値（Ｒ）をマイクロメーター（μｍ）で記載した；この値が小さくなるほど、この生じる摩耗は少なくなる。
【００６１】
第１表：オットー燃料中の摩擦摩耗値Ｒ
【表１】
2008508412.tif 000007
【００６２】
意外にも、１０ｐｐｍの配量で既に、著しい、公知技術に照らして完全に予期できなかった、摩擦摩耗値の改善（即ち、Ｒの減少）が観察された。
【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2008508412.tif 000010
［前記式中、ＲはＨ、又はＣ1〜Ｃ3−アルキルである］
の複素環式化合物少なくとも１つの、燃料組成物における摩擦摩耗減少添加剤としての使用。
【請求項２】
式（Ｉ）の化合物を前記燃料に、１０００ｍｇ／ｋｇよりも少ない割合で添加する、請求項１記載の使用。
【請求項３】
前記化合物を前記燃料に、１〜５００ｍｇ／ｋｇの割合で添加する、請求項２記載の使用。
【請求項４】
前記化合物を前記燃料に、１〜＜５０ｍｇ／ｋｇの割合で添加する、請求項３記載の使用。
【請求項５】
式（Ｉ）の化合物を、環の置換基Ｒに関して位置異性体である化合物の混合物として使用する、請求項１から４までのいずれか１項記載の使用。
【請求項６】
式（Ｉ）の化合物が、式（Ｉａ）及び（Ｉｂ）
【化２】
2008508412.tif 000011
の化合物の異性体混合物を含み、その際
（Ｉａ）対（Ｉｂ）のモル比が１０〜６０対９０〜４０の範囲にある、請求項５記載の使用。
【請求項７】
Ｒがメチルである、請求項１から６までのいずれか１項記載の使用。
【請求項８】
少なくとも１つの更なる市販の燃料助剤との組み合わせにおける、請求項１から７までのいずれか１項記載の使用。
【請求項９】
摩擦摩耗値（Ｒ）が、μｍで、約５〜７０％だけ、式（Ｉ）の化合物を含有する助剤の添加前に算出した値と比較して減少する、請求項１から８までのいずれか１項記載の使用。
【請求項１０】
少なくとも１つの更なる通常の摩擦減少添加剤との組み合わせにおける、請求項１から９までのいずれか１項記載の使用。
【請求項１１】
助剤濃縮物として、請求項１から９までのいずれか１項記載の摩擦減少添加剤を、少なくとも１つの更なる通常の燃料助剤と、場合により、少なくとも１つの更なる通常の摩擦減少添加剤とを組み合わせて使用する、請求項１から１０までのいずれか１項記載の使用。
【請求項１２】
前記燃料組成物がオットー燃料である、請求項１から１１までのいずれか１項記載の使用。
【請求項１３】
改善した摩擦摩耗挙動を有する燃料組成物の製造方法において、市販の燃料組成物に、請求項１から９までのいずれか１項記載の複素環式化合物の又は請求項１１記載の助剤濃縮物の有効量を添加する、改善した摩擦摩耗挙動を有する燃料組成物の製造方法。
【国際調査報告】
2008508412.tif 000012
2008508412.tif 000013
2008508412.tif 000014
2008508412.tif 000015
2008508412.tif 000016
2008508412.tif 000017